(57)【要約】【課題】  水滴などによりバルブにクラックが発生することが防止された安定器内蔵形高圧放電ランプを具備する照明器具を提供する。【解決手段】  照明器具１は、発光管７の外周に配設されたバラストフィラメント８を有して構成された高圧放電ランプ２と、ランプソケット１７を有し、高圧放電ランプ２を外部空間に露出して取り付けている灯具３と、一端側４ａが高圧放電ランプ２のバルブ外周に亘ってバルブ外面５ｄに密接し、他端側４ｂが灯具３の外周に亘って灯具３の外面に密接して取り付けられ、高圧放電ランプ２のバラストフィラメント８を覆うように設けられた樹脂製の保護カバー４とを具備している。【選択図】図２
2010067540.tif 000002
【特許請求の範囲】
【請求項１】
一端側に口金が取付けられたバルブ、このバルブ内に配設された発光管およびこの発光管と電気的に直列接続され発光管の外周に配設されたバラストフィラメントを有して構成された高圧放電ランプと；
この高圧放電ランプの口金が螺着されるランプソケットを有し、前記高圧放電ランプを外部空間に露出して取り付けている灯具と；
一端側が前記高圧放電ランプのバルブ外周に亘ってバルブ外面に密接し、他端側が前記灯具の外周に亘って灯具の外面に密接して取り付けられ、前記高圧放電ランプのバラストフィラメントを覆うように設けられた樹脂製の保護カバーと；
を具備していることを特徴とする照明器具。
【請求項２】
保護カバーは、その内面と、前記高圧放電ランプのバラストフィラメントの直近のバルブ外面の部位との間に隙間を有するように形成されていることを特徴とする請求項１記載の照明器具。
【発明の詳細な説明】
【技術分野】
【０００１】
本発明は、安定器内蔵形高圧放電ランプを配設している照明器具に関する。
【背景技術】
【０００２】
この種の高圧放電ランプは、バルブ内に、発光管に流れる電流を制限するためのバラストフィラメントが収納されたものであり、安定器を必要とせず、直接電源に接続するだけで点灯できる。そして、バラストフィラメントは、バラストフィラメント支持体に構成され、このバラストフィラメント支持体が発光管の外周に配設されている（例えば特許文献１参照。）。すなわち、バラストフィラメントは、バラストフィラメント支持体に支持され、発光管の外周を囲うように配置されている。
【０００３】
そして、安定器内蔵形高圧放電ランプは、例えばアームライトとして屋外で使用されている（非特許文献１参照。）。図４は、そのアームライトの一例である。アームライト５０は、アーム（電線管）５１の先端にジョイント（継手）５２を介して灯具５３が設けられ、その灯具５３内に配設されている図示しないランプソケットに高圧放電ランプ５４が装着されている。アーム５１は、止め金具５５により壁面などに固定され、内部に電源コード５６が挿通されている。そして、高圧放電ランプ５４は、外部空間に露出し、アーム５１の湾曲およびジョイント５２の可動により、その照射方向が所望に設定されている。
【特許文献１】特許第３９３７１０９号公報（第５頁、第１図）
【非特許文献１】Ｌｉｔｉｎｇ  Ｆｉｘｔｕｒｅｓ  東芝照明器具（クリップスポットライト／アームライト／レフランプホルダー／他）カタログ、６頁、２００３年１２月、東芝ライテック（株）
【発明の開示】
【発明が解決しようとする課題】
【０００４】
高圧放電ランプ５４は、発光管の外周にバラストフィラメントが配設されているので、図５に示すように、そのバルブ５７のバラストフィラメントに近い部位がバルブ外面５７ａの最高温度部５８となっている。
【０００５】
そして、高圧放電ランプ５４の照射方向が斜め下方のときに、高圧放電ランプ５４の口金５９と灯具５３のランプソケット６０との螺着によっては、バルブ外面５７ａの最高温度部５８が重力の作用方向の上側に位置することがある。すなわち、口金５９は、バラストフィラメントの配設位置に関係なく、バルブ５７に取り付けられている。また、ランプソケット６０は、その外周方向に任意にして灯具５３に取り付けられている。したがって、高圧放電ランプ５４は、そのランプソケット６０への装着によっては、バルブ外面５７ａの最高温度部５８が上側に位置することがある。この場合、雨水や水滴などがバルブ外面５７ａの最高温度部５８に降りかかると、温度衝撃によりバルブ外面５７ａにクラックが発生することがあった。
【０００６】
本発明は、水滴などによりバルブにクラックが発生することが防止された安定器内蔵形高圧放電ランプを具備する照明器具を提供することを目的とする。
【課題を解決するための手段】
【０００７】
請求項１に記載の照明器具の発明は、一端側に口金が取付けられたバルブ、このバルブ内に配設された発光管およびこの発光管と電気的に直列接続され発光管の外周に配設されたバラストフィラメントを有して構成された高圧放電ランプと；この高圧放電ランプの口金が螺着されるランプソケットを有し、前記高圧放電ランプを外部空間に露出して取り付けている灯具と；一端側が前記高圧放電ランプのバルブ外周に亘ってバルブ外面に密接し、他端側が前記灯具の外周に亘って灯具の外面に密接して取り付けられ、前記高圧放電ランプのバラストフィラメントを覆うように設けられた樹脂製の保護カバーと；を具備していることを特徴とする。
【０００８】
本発明および以下の発明において、特に言及しない限り、各構成は以下による。
【０００９】
バルブの一端側の内側には、ステムが取り付けられており、そのステムから導出されたリード線が口金に電気的に接続されている。また、当該リード線は、発光管およびバラストフィラメントに電気的に接続されている。
【００１０】
保護カバーは、それに覆われたバルブ外面側に水分が侵入しないよう形成されるものである。したがって、「密接」とは、水分が浸入しないように、保護カバーとバルブ外面または灯具の外面が接していればよいものである。
【００１１】
保護カバーは、耐熱性を有する例えばシリコーン樹脂で形成することができる。
【００１２】
本発明によれば、保護カバーの一端側がバルブ外周に亘ってバルブ外面に密接し、保護カバーの他端側が灯具の外周に亘って灯具の外面に密接しているので、外部空間に露出している高圧放電ランプに水滴などが降りかかっても、高圧放電ランプのバラストフィラメントの直近のバルブ外面の部位を含むバルブ外面に水分が浸入することが防止される。
【００１３】
請求項２に記載の照明器具の発明は、請求項１記載の照明器具において、保護カバーは、その内面と、前記高圧放電ランプのバラストフィラメントの直近のバルブ外面の部位との間に隙間を有するように形成されていることを特徴とする。
【００１４】
高圧放電ランプのバラストフィラメントの直近のバルブ外面の部位は、バラストフィラメントに最も近いバルブ外面であり、バルブ外面の最高温度部となっている部位である。
【００１５】
本発明によれば、保護カバーは、前記隙間の分、高圧放電ランプのバラストフィラメントの直近のバルブ外面の部位（バルブ外面の最高温度部）と離間し、当該バルブ外面の部位からの伝熱量が抑制され、これにより、熱劣化しにくくなる。
【発明の効果】
【００１６】
請求項１の発明によれば、外部空間に露出している高圧放電ランプに水滴などが降りかかっても、樹脂製の保護カバーにより、バラストフィラメントの直近のバルブ外面の部位に水分が浸入することが防止されるので、バルブ外面に水分の浸入によって引き起こされる温度衝撃によるクラックの発生を防止することができて、照明器具の品質を向上させることができる。
【００１７】
請求項２の発明によれば、保護カバーの内面と、高圧放電ランプのバラストフィラメントの直近のバルブ外面の部位との間に隙間が形成されて、バルブ外面からの伝熱量が抑制されるので、耐熱性の低い保護カバーを用いることができ、これにより、照明器具のコスト上昇を抑制することができる。
【発明を実施するための最良の形態】
【００１８】
以下、本発明の一実施の形態について、図面を参照して説明する。
【００１９】
図１ないし図３は、本発明の一実施の形態を示し、図１は照明器具の概略側面図、図２は高圧放電ランプが取り付けられた灯具の一部切り欠き概略側面図、図３は高圧放電ランプの一部切り欠き概略側面図である。
【００２０】
図１において、照明器具１は、アームライトであり、高圧放電ランプ２、灯具３および保護カバー４を有して構成されている。
【００２１】
高圧放電ランプ２は、図３に示すように、いわゆるＲ形に形成された密閉形のバルブ５の一端側５ａに口金６が取り付けられ、バルブ５の内部に発光管７およびバラストフィラメント８を収納している安定器内臓形の高圧放電ランプである。
【００２２】
バルブ５は、例えば硬質ガラスにより形成され、その一端側５ａには、一対の導入線９，９を封着しているステム１０が封止されている。一対の導入線９，９は、口金６のアイレット部６ａおよび螺合部６ｂに接続されている。バルブ５の内部には、窒素（Ｎ２）ガスが封入されている。そして、バルブ５の一端側５ａおよび他端側５ｂを除く中間部５ｃの内面は、アルミ蒸着されて、反射面に形成されている。また、バルブ５の他端側５ｂの内面には、図示しない蛍光体膜が塗布されている。
【００２３】
発光管７は、一方の導入線９に支持された支持柱１１およびこの支持柱１１に取り付けられた支持板１２ａ，１２ｂに固定されて、バルブ５内に配設されている。発光管７は、石英ガラスからなり、内部に水銀（Ｈｇ）およびアルゴン（Ａｒ）ガスが封入されている。
【００２４】
また、バラストフィラメント８は、支持柱１１に支持されているアンカー支持体１３およびこのアンカー支持体１３の側面より突出している例えばモリブデン線よりなる複数のアンカー１４により、発光管７の端部外周に略１８０°の範囲で配設されている。バラストフィラメント８は、タングステンコイルからなり、一端側がリード線１５に接続され、発光管７と電気的に直列接続されている。発光管７およびバラストフィラメント８は、ステム１０の導入線９，９に電気的に接続されている。
【００２５】
高圧放電ランプ２は、口金６において給電されると、発光管７が発光し、発光管７から紫外線が放射される。この紫外線は、バルブ５の中間部５ｃに形成されたアルミ蒸着の反射面により他端側５ｂに反射される。そして、他端側５ｂに形成された蛍光体膜により可視光に変換されて、外部空間に出射される。
【００２６】
灯具３は、図２に示すように、例えばアルミダイキャストにより形成され、一端側３ａに開口１６を有する有底の略円錐台に形成されている。そして、内部に高圧放電ランプ２の口金６が螺着されるランプソケット１７を配設している。また、一端側３ａの外面には、放熱用の複数の環状溝１８が形成されている。
【００２７】
そして、灯具３は、底面３ｂにジョイント（継手）１９が接続されている。このジョイント１９は、アーム（電線管）２０に接続されている。このアーム２０には、図示しない電源コード２１が挿通されている。電源コード２１は、底面３ｂに設けられた図示しない孔から灯具３の内部に導入され、ランプソケット１７に接続されている。
【００２８】
高圧放電ランプ２は、その口金６がランプソケット１７に完全に螺着されることにより、灯具３に取り付けられているとともに、ランプソケット１７から給電される。そして、灯具３は、反射鏡などを配設していないので、高圧放電ランプ２を外部空間に露出して取り付けている。
【００２９】
そして、灯具３に高圧放電ランプ２が取り付けられた状態で、灯具３の開口１６は、パッキン２２により閉塞されている。パッキン２２は、例えばシリコーン樹脂からなり、略円形の皿状に形成され、灯具３の一端側３ａの外面を周回に亘って締め付けるようにして、灯具３の一端側３ａに取り付けられている。パッキン２２の中央部には、図示しない孔が形成されている。高圧放電ランプ２は、その口金６が当該孔を挿通してランプソケット１７に螺着される。そして、口金６が完全に螺着されたときに、バルブ３の外面５ｄが当該孔の内壁に当接している。これにより、灯具３の内部に水分などが侵入することを防止している。
【００３０】
アーム２０は、例えばメッキ鋼管からなり、図１に示すように、止め金具２３により、例えば建物の壁面に固定されている。電源コード２１は、アーム２０の後端側２０ｂから引き出され、電源例えば２００Ｖ商用交流電源に接続されている。そして、灯具３は、アーム２０の先端側２０ａの曲げ加工（湾曲加工）およびジョイント１９の可動により、重力の作用方向（鉛直方向）に対して斜め下方を向くようにしている。すなわち、高圧放電ランプ２の照射方向が斜め下方となっている。
【００３１】
保護カバー４は、例えば耐熱性を有するシリコーン樹脂により形成されたものであり、所定の肉厚例えば１〜３ｍｍを有し、図２に示すように、外形が他端側４ｂから一端側４ａに拡開する略円錐台状に形成されて、高圧放電ランプ２のバルブ外面５ｄを覆う（包囲する）ことのできるように形成されている。
【００３２】
そして、保護カバー４の一端側４ａは、図２中、斜線で示すバルブ外面５ｅよりも非口金側（外方側）のバルブ外面５ｄに位置するとともに、バルブ外周に亘ってバルブ外面５ｄに密接している。ここで、バルブ外面５ｅは、高圧放電ランプ２のバラストフィラメント８の直近のバルブ外面５ｄの部位であり、高圧放電ランプ２が点灯しているときのバルブ外面５ｄの最高温度部となっている。また、保護カバー４の他端側４ｂは、灯具３の一端側３ａの外周に亘って灯具３の外面３ｃに密接して取り付けられている。
【００３３】
保護カバー４は、その一端側４ａから他端側４ｂに向かって高圧放電ランプ２の口金６が挿通され、口金６が灯具３のランプソケット１７に完全に螺着された後に、一端側４ａおよび他端側４ｂがそれぞれ高圧放電ランプ２のバルブ外面５ｄおよび灯具３の外面３ｃに密接されて固定される。こうして、保護カバー４は、高圧放電ランプ２のバラストフィラメント８を覆うように設けられ、その一端側４ａおよび他端側４ｂから内部に水分を侵入しにくくして、高圧放電ランプ２のバルブ外面５ｄおよび灯具３の外面３ｃに固定されている。
【００３４】
また、保護カバー４は、その内面４ｃと、高圧放電ランプ２のバルブ外面５ｅとの間に隙間２４を有するように形成されている。すなわち、保護カバー４をバルブ外面５ｄの最高温度部と接触しないようにしている。これにより、バルブ外面５ｄからの単位時間当たりの伝熱量が抑制され、保護カバー４の熱劣化の進行が抑制されている。
【００３５】
次に、本発明の一実施の形態の作用について述べる。
【００３６】
灯具３が鉛直方向に対して斜め下方を向くように設置されると、灯具３に装着された高圧放電ランプ２は、斜め下方に向かって照射光を放射する。そして、ランプ交換のために、新品の高圧放電ランプ２の口金６を灯具３のランプソケット１７に完全に螺着すると、図２に示すように、バルブ外面５ｄの最高温度部であるバルブ外面５ｅの部位が鉛直方向の上側に位置することがあった。
【００３７】
高圧放電ランプ２の口金６は、ステム１０の導入線９，９を電気接続すれば、バルブ５の一端側５ａでの取付位置は、外周方向で特に限定されず、任意である。また、ランプソケット１７は、回転対称の高圧放電ランプ２を装着できれば、灯具３に外周方向で任意に取り付けられる。したがって、斜め下方を向くように設置された灯具３において、高圧放電ランプ２の口金６をランプソケット１７に完全に螺着したときに、バルブ外面５ｅの部位が鉛直方向に対して上側、下側または横方向側など、あらゆる方向に位置するものである。
【００３８】
そして、灯具３が屋外例えば玄関に設置されていると、高圧放電ランプ２は外部空間に露出しているので、灯具３および高圧放電ランプ２に雨水が直接的に降りかかり、または、壁面等に当たった水滴が降りかかることがある。そして、図５に示す従来技術の照明器具５０においては、高圧放電ランプ５４のバルブ５７の最高温度部５８に雨水や水滴が降りかかることにより、最高温度部５８での温度衝撃により、バルブ５７のバルブ外面５７ａにクラックが発生することがあった。
【００３９】
これに対し、本発明の照明器具１においては、図２に示すように、高圧放電ランプ２のバルブ外面５ｅの部位が鉛直方向の上側に位置していても、保護カバー４により、バルブ外面５ｅの部位に水分が浸入することが防止される。したがって、バルブ外面５ｄの最高温度部であるバルブ外面５ｅの部位に水分の浸入によって引き起こされる温度衝撃によるクラックの発生を抑制することができて、照明器具１の品質を向上させることができる。
【００４０】
また、保護カバー４は、その内面４ｃと、バルブ外面５ｅの部位との間に隙間２４を有するように形成されているので、バルブ外面５ｅからの単位時間当たりの伝熱量が抑制されて、樹脂製の保護カバー４の熱劣化の進行が抑制される。これにより、耐熱性の低い保護カバー４を用いることができ、照明器具１のコスト上昇を抑制することができる。
【００４１】
そして、高圧放電ランプ２が寿命となってランプ交換するときに、保護カバー４も新品と交換するようにすれば、さらに耐熱性の低い保護カバー４を用いることができて、照明器具１のコスト上昇をさらに抑制することができる。
【００４２】
なお、照明器具１は、アームライトに構成したが、これに限らず、灯具３が例えば屋外の壁面や構造物などに配設されたものであってもよい。また、高圧放電ランプ２のバルブ５は、いわゆるＲ形に形成しているが、ＢＴ形など、その形状は問わない。
【図面の簡単な説明】
【００４３】
【図１】本発明の一実施の形態を示す照明器具の概略側面図。
【図２】同じく、高圧放電ランプが取り付けられた灯具の一部切り欠き概略側面図。
【図３】同じく、高圧放電ランプの一部切り欠き概略側面図。
【図４】従来技術の照明器具の概略側面図。
【図５】同じく、高圧放電ランプが取り付けられた灯具の概略側断面図。
【符号の説明】
【００４４】
１…照明器具
２…高圧放電ランプ
３…灯具
４…保護カバー
５…バルブ
７…発光管
８…バラストフィラメント
１７…ランプソケット
【図１】
2010067540.tif 000003
【図２】
2010067540.tif 000004
【図３】
2010067540.tif 000005
【図４】
2010067540.tif 000006
【図５】
2010067540.tif 000007